(57)【要約】【課題】調整完了後の圧力値等の作業記録として必要な圧力値を自動的に記憶し、必要のない圧力値が記憶されることを抑制する。【解決手段】  ワークと着脱可能に接続される接続部と、前記接続部と連通する空間へ流体を流入させる状態又は前記空間から流体を流出させる状態である流入出状態と、前記空間に対する流体の流入出を停止させる停止状態とを切替える切替機構と、前記停止状態において前記空間の圧力を検出する圧力センサと、前記圧力センサで検出された圧力値を表示する表示部とを具備し、前記ワークに前記接続部を接続した状態で、ユーザが前記表示部に表示される圧力値に基づき前記切替機構を操作して前記ワーク内の圧力を調整する圧力調整システムであって、前記圧力センサによって予め定められた閾値を超える圧力値が検出された後、当該閾値以下の圧力値が検出された場合に、当該閾値以下の圧力値が検出される直前に検出された圧力値を記憶する圧力値記憶部をさらに具備させる。【選択図】図２
2020175836.tif 000002
【特許請求の範囲】
【請求項１】
ワークと着脱可能に接続される接続部と、
前記接続部と連通する空間へ流体を流入させる状態又は前記空間から流体を流出させる状態の少なくとも一方の状態である流入出状態と、前記空間に対する流体の流入出を停止させる停止状態とを切替える切替機構と、
前記停止状態において前記空間の圧力を検出する圧力センサと、
前記圧力センサで検出された圧力値を表示する表示部とを具備し、
前記ワークに前記接続部を接続した状態で、ユーザが前記表示部に表示される圧力値に基づき前記切替機構を操作して前記ワーク内の圧力を調整する圧力調整システムであって、
前記切替機構が前記流入出状態から前記停止状態へ切替えられる毎に当該切替以後の所定時点からの経過時間を計測する経過時間計測部と、
前記切替機構が前記停止状態から前記流入出状態へ切替えられる前に、前記経過時間が予め定められた設定時間を超えた場合に、当該停止状態において前記圧力センサで検出された圧力値を記憶する圧力値記憶部とをさらに具備していることを特徴とする圧力調整システム。
【請求項２】
前記所定時点が、前記切替機構が前記流入出状態から前記停止状態へ切替えられた後であって前記圧力センサによって圧力値が検出された時点、又は、当該圧力値が前記表示部に表示された時点である請求項１記載の圧力調整システム。
【請求項３】
前記圧力値記憶部が、前記圧力センサによって予め定められた閾値を超える圧力値として最初に検出された圧力値を記憶するものである請求項１又は２のいずれかに記載の圧力調整システム。
【請求項４】
前記閾値が、前記ワークに設定された設定圧よりも低く大気圧よりも高い値に設定されている請求項３記載の圧力調整システム。
【請求項５】
前記圧力調整システムの電源がオンされた場合に、大気圧に基づいて前記圧力センサのゼロ点を補正するセンサ補正部をさらに具備している請求項１乃至４のいずれかに記載の圧力調整システム。
【請求項６】
前記接続部、前記切替機構、及び、前記圧力センサを具備する圧力調整装置と、
前記圧力調整装置とは別であって、前記圧力値記憶部を具備する圧力値管理装置とを備え、
前記圧力調整装置及び前記圧力管理装置が、有線又は無線によって接続されるものであり、
前記圧力調整装置又は前記圧力値管理装置のいずれか一方又は双方が、前記表示部を具備している請求項１乃至５のいずれかに記載の圧力調整システム。
【請求項７】
ワークと着脱可能に接続される接続部と、
前記接続部と連通する空間へ流体を流入させる状態又は前記空間から流体を流出させる状態である流入出状態と、前記空間に対する流体の流入出を停止させる停止状態とを切替える切替機構と、
前記停止状態において前記空間の圧力を検出する圧力センサと、
前記圧力センサで検出された圧力値を表示する表示部とを具備し、
前記ワークに前記接続部を接続した状態で、ユーザが前記表示部に表示される圧力値に基づき前記切替機構を操作して前記ワーク内の圧力を調整する圧力調整システムに用いられるプログラムであって、
前記切替機構が前記流入出状態から前記停止状態へ切替えられる毎に当該切替以後の所定時点からの経過時間を計測する経過時間計測部と、
前記切替機構が前記停止状態から前記流入出状態へ切替えられる前に、前記経過時間が予め定められた設定時間を超えた場合に、当該停止状態において前記圧力センサで検出された圧力値を記憶する圧力値記憶部としての機能を発揮させることを特徴とする圧力調整システム用プログラム。
【請求項８】
ワークと着脱可能に接続される接続部と、
前記接続部と連通する空間へ流体を流入させる状態又は前記空間から流体を流出させる状態の少なくとも一方の状態である流入出状態と、前記空間に対する流体の流入出を停止させる停止状態とを切替える切替機構と、
前記停止状態において前記空間の圧力を検出する圧力センサと、
前記圧力センサで検出された圧力値を表示する表示部とを具備し、
前記ワークに前記接続部を接続した状態で、ユーザが前記表示部に表示される圧力値に基づき前記切替機構を操作して前記ワーク内の圧力を調整する圧力調整システムであって、
前記圧力センサによって予め定められた閾値を超える圧力値が検出された後、当該閾値以下の圧力値が検出された場合に、当該閾値以下の圧力値が検出される直前に検出された圧力値を記憶する圧力値記憶部をさらに具備していることを特徴とする圧力調整システム。
【発明の詳細な説明】
【技術分野】
【０００１】
本発明は、圧力調整システム及び圧力調整システム用プログラムに関するものである。
【背景技術】
【０００２】
流体が充填されたワーク（例えば、タイヤ等）内の圧力の調整作業に使用される圧力調整システムとして、例えば、特許文献１には、ワークと着脱可能に接続される接続部と、前記接続部と連通する空間に対して流体を流入出させる流入出状態と、前記空間に対する流体の流入出を停止させる停止状態とを切替える切替機構と、前記停止状態において前記空間の圧力を検出する圧力センサと、前記圧力センサで検出された圧力値を表示する表示部とを具備し、前記ワークに前記接続部を接続した状態で、ユーザが前記表示部に表示される圧力値に基づき前記切替機構を操作して前記ワーク内の圧力を調整するものが開示されている。
【０００３】
ところで、前記従来の圧力調整システムを使用して調整作業を行う場合に、作業記録として調整完了後の圧力値を記録しようとすると、調整作業が完了する度に筆記用具を手にしてメモを取る必要があり、非常に作業効率が悪かった。
【０００４】
一方、前記従来の圧力調整システムにおいて、圧力センサで検出される圧力値を自動的にメモリ等に記憶するように構成すればメモを取る必要がなくなり作業効率が向上する。しかしながら、前記圧力調整システムにおいては、停止状態でなければ、圧力センサによってワーク内の圧力を正確に検出することができない。このため、前記圧力調整システムを使用して調整作業を行う場合には、切替機構によって流入出状態と停止状態とを繰り返し切替えながら、停止状態時に表示部に表示される圧力値を参照し、当該圧力値がワークに設定された設定圧に近づくように調整することになる。よって、停止状態時に圧力センサで検出される圧力値が全て記憶されると、切替機構によって停止状態に切替えられる毎に、その時圧力センサで検出される圧力値が記憶されることになり、データ量が増すと共に作業記録として必要な圧力値の管理が面倒になる。
【先行技術文献】
【特許文献】
【０００５】
【特許文献１】登録実用新案第３０７５３９７号
【発明の概要】
【発明が解決しようとする課題】
【０００６】
そこで、本発明は、調整完了後の圧力値等の作業記録として必要な圧力値が自動的に記憶され、必要のない圧力値が記憶されることを抑制できる圧力調整システムを提供することを主な課題とするものである。
【課題を解決するための手段】
【０００７】
すなわち、本発明に係る圧力調整システムは、ワークと着脱可能に接続される接続部と、前記接続部と連通する空間へ流体を流入させる状態又は前記空間から流体を流出させる状態の少なくとも一方の状態である流入出状態と、前記空間に対する流体の流入出を停止させる停止状態とを切替える切替機構と、前記停止状態において前記空間の圧力を検出する圧力センサと、前記圧力センサで検出された圧力値を表示する表示部とを具備し、前記ワークに前記接続部を接続した状態で、ユーザが前記表示部に表示される圧力値に基づき前記切替機構を操作して前記ワーク内の圧力を調整する圧力調整システムであって、前記切替機構が前記流入出状態から前記停止状態へ切替えられる毎に当該切替以後の所定時点からの経過時間を計測する経過時間計測部と、前記切替機構が前記停止状態から前記流入出状態へ切替えられる前に、前記経過時間が予め定められた設定時間を超えた場合に、当該停止状態において前記圧力センサで検出された圧力値を記憶する圧力値記憶部とをさらに具備していることを特徴とするものである。
【０００８】
このようなものであれば、切替機構が流入出状態から停止状態へ切替えられる毎に、当該切替以後の所定時点からの経過時間を計測し、切替機構が停止状態から流入出状態へ切替えられる前に、当該経過時間が予め定められた設定時間を超えた場合に、当該停止状態において前記圧力センサで検出された圧力値を記憶する構成としたので、ユーザが、所定時点から設定時間を経過する前に流入出状態に切替えた場合に、当該停止状態において検出された圧力値が記憶されなくなり、調整途中に検出された圧力値が記憶されることを抑制できる。一方、作業記録として必要な調整完了後の圧力値が確実に記憶される。すなわち、ユーザは、切替機構によって停止状態へ切替以後、当該停止状態時に表示部に表示された圧力値が設定圧よりも大幅に低い又は高いと判断した場合には、再度流入出状態に切替える動作を実行する。そこで、ユーザが、表示部に表示された圧力値を確認して再度流入出状態に切替える動作を実行するまでの時間よりも設定時間を長くしておくことにより、調整途中に検出された圧力値が記憶されることを抑制できる。なお、ユーザは、切替機構によって停止状態へ切替以後、当該停止状態時に表示部に表示された圧力値が設定圧近傍に達したと判断した場合には、再度流入出状態に切替える動作を実行しない。このため、調整完了後に検出された圧力値を確実に記憶できる。
【０００９】
なお、本発明において、圧力センサで検出される圧力値とは、接続部と連通する空間に乱流等が殆ど生じていない状態における圧力値を示している。すなわち、例えば、ワークに接続部を接続した直後や、切替機構によって流入出状態から停止状態へ切替えられた直後は、ワーク内に乱流が発生して正確な内圧を検出できないため、当該乱流が略納まった状態で検出される圧力値を示している。
【００１０】
前記所定時点には、例えば、前記切替機構が前記流入出状態から前記停止状態へ切替えられた後であって前記圧力センサによって圧力値が検出された時点、又は、当該圧力値が前記表示部に表示された時点が挙げられる。
【００１１】
また、作業記録として調整前の圧力値も必要な場合がある。そこで、前記圧力値記憶部が、前記圧力センサによって予め定められた閾値を超える圧力値として最初に検出された圧力値を記憶するものであってもよい。
【００１２】
このようなものであれば、作業記録として調整完了後の圧力値だけでなく、調整前の圧力値も記憶することができる。
【００１３】
詳述すると、接続部は、ワークに接続されていない状態において、大気空間と連通した状態となる。この場合、圧力センサによって大気圧が検出される。この状態から接続部をワークに接続すると、接続部は、ワーク内と連通した状態となり、この時、圧力センサによって検出された圧力値がワークの調整前の圧力値となる。このため、ワークに対して接続部を接続して最初に閾値を超えた圧力値が調整前の圧力値となる。よって、前記のように構成することにより、調整前の圧力値を確実に記憶できる。
【００１４】
なお、前記閾値としては、前記ワークに設定された設定圧よりも低く大気圧よりも高い値を設定すればよい。
【００１５】
また、前記圧力調整システムの電源がオンされた場合に、大気圧に基づいて前記圧力センサのゼロ点を補正するセンサ補正部をさらに具備していてもよい。
【００１６】
このようなものであれば、調整作業を開始する前に必ず圧力センサのゼロ点補正が実行されるため、当該圧力センサによってワーク内の大気圧との相対圧力をより正確に検出することができる。
【００１７】
また、圧力調整システムの具体的構成としては、前記接続部、前記切替機構、及び、前記圧力センサを具備する圧力調整装置と、前記圧力調整装置とは別であって、前記圧力値記憶部を具備する圧力値管理装置とを備え、前記圧力調整装置及び前記圧力管理装置が、有線又は無線によって接続されるものであり、前記圧力調整装置又は前記圧力値管理装置のいずれか一方又は双方が、前記表示部を具備しているものが挙げられる。
【００１８】
このようなものであれば、圧力調整装置及び圧力値管理装置を別体とすることができるため、圧力調整装置を小型化することができ、調整作業時の取り回しが容易となる。
【００１９】
また、本発明に係る圧力調整システム用プログラムは、ワークと着脱可能に接続される接続部と、前記接続部と連通する空間へ流体を流入させる状態又は前記空間から流体を流出させる状態の少なくとも一方の状態である流入出状態と、前記空間に対する流体の流入出を停止させる停止状態とを切替える切替機構と、前記停止状態において前記空間の圧力を検出する圧力センサと、前記圧力センサで検出された圧力値を表示する表示部とを具備し、前記ワークに前記接続部を接続した状態で、ユーザが前記表示部に表示される圧力値に基づき前記切替機構を操作して前記ワーク内の圧力を調整する圧力調整システムに用いられるプログラムであって、前記切替機構が前記流入出状態から前記停止状態へ切替えられる毎に当該切替以後の所定時点からの経過時間を計測する経過時間計測部と、前記切替機構が前記停止状態から前記流入出状態へ切替えられる前に、前記経過時間が予め定められた設定時間を超えた場合に、当該停止状態において前記圧力センサで検出された圧力値を記憶する圧力値記憶部としての機能を発揮させることを特徴とするものである。
【００２０】
また、本発明に係る圧力調整システムは、ワークと着脱可能に接続される接続部と、前記接続部と連通する空間へ流体を流入させる状態又は前記空間から流体を流出させる状態の少なくとも一方の状態である流入出状態と、前記空間に対する流体の流入出を停止させる停止状態とを切替える切替機構と、前記停止状態において前記空間の圧力を検出する圧力センサと、前記圧力センサで検出された圧力値を表示する表示部とを具備し、前記ワークに前記接続部を接続した状態で、ユーザが前記表示部に表示される圧力値に基づき前記切替機構を操作して前記ワーク内の圧力を調整する圧力調整システムであって、前記圧力センサによって予め定められた閾値を超える圧力値が検出された後、当該閾値以下の圧力値が検出された場合に、当該閾値以下の圧力値が検出される直前に検出された圧力値を記憶する圧力値記憶部をさらに具備していることを特徴とするものである。
【００２１】
このようなものであっても、圧力センサによって予め定められた閾値を超える圧力値が検出された後、当該閾値以下の圧力値が検出された場合に、当該閾値以下の圧力値が検出される直前に検出された圧力値を記憶するように構成としたので、作業記録として必要な調整完了後の圧力値が圧力値記憶部に記憶されるようになる。
【００２２】
詳述すると、ユーザが調整作業を行う場合には、圧力調整システムの電源をオンするステップ１と、ワークに接続部を接続するステップ２と、その後停止状態において表示部に表示されるワーク内の圧力値を参照しながら切替機構の切替操作を繰り返し、表示部に表示される圧力値がワークに設定された設定圧に近づくように調整するステップ３と、ワークから接続部を取り外すステップ４と、を順次実行することになる。このため、閾値を、前記設定圧よりも小さく大気圧よりも大きな値に設定しておくことにより、ステップ２及び３を行うと、圧力センサによって閾値を超える圧力値が検出され、その後ステップ４を行うと、圧力センサによって閾値以下の圧力値が検出される。すなわち、ユーザは、ステップ３において、表示部に表示される圧力値が設定値近傍になった場合に調整作業が完了したと判断してステップ４へ移行することから、前記一連の調整作業を実行した場合に、圧力センサによって閾値以下の圧力値が検出されることが、調整作業完了の合図となる。そこで、圧力センサによって閾値以下の圧力値が検出された場合に、当該閾値以下の圧力値が検出される直前に検出された圧力値を記憶するようにすれば、調整完了後の圧力値のみを自動的に記憶することができる。
【発明の効果】
【００２３】
このように構成した圧力調整システムによれば、作業記録として必要な調整完了後の圧力値や調整前の圧力値が自動的に記憶され、必要のない圧力値が記憶されることを抑制できる。
【図面の簡単な説明】
【００２４】
【図１】実施形態１に係る圧力調整システムの全体構成を示す模式図である。
【図２】実施形態１に係る圧力調整システムの機能を示すブロック図である。
【図３】実施形態１に係る圧力調整システムの動作を示すフローチャートである。
【図４】実施形態２に係る圧力調整システムの機能を示すブロック図である。
【図５】実施形態２に係る圧力調整システムの動作を示すフローチャートである。
【発明を実施するための形態】
【００２５】
以下に、本発明に係る圧力調整システムを図面に基づいて説明する。
【００２６】
本発明に係る圧力調整システムは、流体が充填されるワーク内の圧力（内圧）を調整するために使用されるものである。具体的には、ワーク内の圧力を予め定められた設定圧に近づけるように調整するために使用されるものである。なお、ワークとしては、タイヤ等が挙げられる。
【００２７】
＜実施形態１＞  本実施形態に係る圧力調整システム１００は、図１に示すように、ワークＷ内の圧力を調整する圧力調整装置１０と、圧力調整装置１０と別体であって、圧力調整装置１０に有線又は無線によって接続される圧力値管理装置２０と、を備えている。
【００２８】
前記圧力調整装置１０は、所謂インフレータである。具体的には、圧力調整装置１０は、ワークＷ内に対する流体の流入出を操作する切替機構１１と、ワークＷ内の圧力を検出する圧力センサ１２と、圧力センサ１２で検出される圧力値を表示する表示部１３と、圧力値管理装置２０と通信する通信手段１４と、を備えている。そして、圧力調整装置１０は、ワークＷ内と連通するように当該ワークＷに接続されるホース状の接続部１５をさらに備えている。また、圧力調整装置１０には、図示しない流体供給タンクが接続されている。なお、流体供給タンクは、圧力調整装置１０に対してワークＷ内の圧力よりも高い圧力で流体を供給するものである。
【００２９】
前記切替機構１１は、接続部１５を介してワークＷ内へ流体を流入させる状態又はワークＷ内から流体を流出させる状態の少なくとも一方の状態である流入出状態と、ワークＷ内へ流体を流入させない状態及びワークＷ内から流体を流出させない状態である停止状態と、を切替えるものである。なお、本実施形態の切替機構１１は、トリガタイプのものになっており、トリガを握ると流入出状態となり、トリガを放すと自動的に停止状態となるように構成されている。切替機構１１は、トリガタイプのものに限定されず、例えば、ボタンタイプのものであってもよい。なお、切替機構１１は、本実施形態のように外力を加えない状態において自動的に流入出状態から停止状態へ切替わるものが好ましい。
【００３０】
前記圧力センサ１２は、切替機構１１によって停止状態に切替えられた状態において接続部１５と連通する空間、具体的には、大気空間、ワークＷ内の空間の圧力を検出するものである。
【００３１】
前記表示部１３は、圧力センサ１２で検出された圧力をユーザが視認できるように表示するものである。なお、本実施形態の表示部１３は、デジタルタイプのものである。表示部１０は、デジタルタイプに限らず、アナログタイプのものであってもよい。
【００３２】
前記通信手段１４は、圧力センサ１２で検出された圧力値を示す圧力値データを圧力値管理装置２０に送信するためのものである。
【００３３】
また、前記圧力調整装置１０は、圧力センサ１２、表示部１３、及び、通信手段１４に接続された制御部Ｃ１を具備している。制御部Ｃ１は、例えば、ＣＰＵ、メモリ、入出力手段、Ａ／Ｄ・Ｄ・Ａコンバータ等を備えたコンピュータであって、前記メモリに格納されている制御プログラムに基づき、圧力値一時記憶部Ｃ１ａ、表示制御部Ｃ１ｂ、ゼロ点補正部Ｃ１ｃ、経過時間計測部Ｃ１ｄ、記録判定部Ｃ１ｅ、閾値記憶部Ｃ１ｆ、設定時間記憶部Ｃ１ｇ、データ送信部Ｃ１ｈとしての機能を発揮するように構成されている。
【００３４】
前記圧力値一時記憶部Ｃ１ａは、圧力センサ１２で検出された圧力値を一時的に記憶するものである。具体的には、圧力値一時記憶部Ｃ１ａは、切替機構１１が停止状態になっている場合に、圧力センサ１２によって検出される圧力値を随時記憶するようになっている。すなわち、圧力値一時記憶部Ｃ１ａは、圧力センサ１２が新たな圧力値を検出する毎に当該新たな圧力値を記憶するようになっている。
【００３５】
前記表示制御部Ｃ１ｂは、圧力値一時記憶部Ｃ１ａに記憶された最新の圧力値を表示部１３に出力するものである。
【００３６】
前記ゼロ点補正部Ｃ１ｃは、電源がオンされたことを示す起動信号を受け付けた場合に、その時圧力値一時記憶部Ｃ１ａに記載された圧力値（大気圧）を取得し、圧力センサ１２のゼロ点を補正するものである。
【００３７】
前記経過時間計測部Ｃ１ｄは、切替機構１１によって流入出状態から停止状態へ切替える毎に当該切替以降の所定時点からの経過時間を計測するものである。なお、本実施形態の経過時間計測部Ｃ１ｄは、切替機構１１によって流入出状態から停止状態へ切替える毎に、当該切替えた後であって圧力センサ１２によって圧力値が検出された時点からの経過時間を計測するものである。経過時間計測部Ｃ１ｄは、切替機構１１によって流入出状態から停止状態へ切替える毎に、当該切替えた後であって圧力センサ１２によって検出された圧力値が表示部１３に表示された時点からの経過時間を計測するものであってもよい。また、経過時間計測部Ｃ１ｄは、切替機構１１によって流入出状態から停止状態へ切替える毎に、当該切替直後からの経過時間を計測するものであってもよい。
【００３８】
前記記録判定部Ｃ１ｅは、圧力値一時記憶部Ｃ１ａに記憶された最新の圧力値を取得し、経過時間計測部Ｃ１ｄから経過時間を取得し、圧力センサ１２から圧力値を検出したことを示す検出信号を受信する。そして、閾値記憶部Ｃ１ｆに記憶された閾値、及び、設定時間記憶部Ｃ１ｇに記憶された設定時間を参照し、当該最新の圧力値を記録するか否かを判定するものである。具体的には、記録判定部Ｃ１ｅは、取得した圧力値が閾値を超えているか否かを判定する第１判定と、第１判定で閾値を超えていると判定した場合に、当該取得した圧力値が最初に閾値を越えたものであるか否かを判定する第２判定と、第２判定で最初に閾値を越えたものでないと判定した場合に、検出信号を受信するまでの経過時間が設定時間を越えたか否かを判定する第３判定と、を行うようになっている。
【００３９】
そして、前記記録判定部Ｃ１ｅは、第２判定において、取得した圧力値が最初に閾値を越えたものと判定した場合には、当該取得した圧力値を調整前の圧力値を示す調整前圧力値データとしてデータ送信部Ｃ１ｈへ出力するようになっている。また、記録判定部Ｃ１ｅは、第３判定において、検出信号を受信するまでの経過時間が設定時間を越えたと判定した場合には、当該検出信号を受信する前に取得した圧力値を調整完了後の圧力値を示す調整後圧力値データとしてデータ送信部Ｃ１ｅへ出力するようになっている。
【００４０】
なお、前記閾値は、閾値記憶部Ｃ１ｆに記憶されている。ここで、閾値は、ワークＷに設定された設定圧よりも高く大気圧よりも低い圧力値に設定されている。本実施形態においては、第１判定と第３判定とにおいて、同じ数値の閾値を使用しているが、異なる数値の閾値を使用してもよい。
【００４１】
また、前記設定時間は、設定時間記憶部Ｃ１ｇに記憶されている。ここで、設定時間は、設定時間は、ユーザが切替機構１１によって流入出状態から停止状態へ切替えた後、表示部１３に表示される圧力値を確認し、当該圧力値が設定圧近傍に達しないと判断した場合に再度切替機構１１によって停止状態から流入出状態へ切替えるまでの時間を考慮して定められる。具体的には、設定時間は、０．５秒以上３秒以下で定めることが好ましく、１秒以上２秒以下で定めることがより好ましい。なお、設定時間記憶部Ｃ１ｇは、入力手段等によって設定時間を入力できるように構成してもよい。
【００４２】
前記データ送信部Ｃ１ｈは、記録判定部Ｃ１ｅから受け付けた調整前圧力値データ及び調整後圧力値データを圧力値管理装置２０に送信するものである。
【００４３】
前記圧力値管理装置２０は、ディスプレイ（画面）Ｄや入力手段等を有すると共に、制御部Ｃ２を具備している。本実施形態の圧力値管理装置２０は、圧力調整装置１０と無線により通信可能な例えばスマートフォンやタブレット端末等といった、ユーザが携帯可能なタッチパネルディスプレイを有するモバイル端末である。そして、制御部Ｃ２は、例えば、ＣＰＵ、メモリ、Ａ／Ｄ・Ｄ・Ａコンバータ等を備えたコンピュータであって、前記メモリに格納されている制御プログラムに基づき、データ受信部Ｃ２ａ、圧力値記憶部Ｃ２ｂ、表示制御部Ｃ２ｃとしての機能を発揮するように構成されている。
【００４４】
前記データ受信部Ｃ２ａは、データ送信部Ｃ１ｆから送信された調整前圧力値データ及び調整後圧力値データを受信して、圧力値記憶部Ｃ１ｂ及び表示制御部Ｃ２ｃに出力するものである。
【００４５】
前記圧力値記憶部Ｃ２ｂは、データ受信部Ｃ２ａから出力された調整前圧力値データ及び調整後圧力値データを記憶するものである。
【００４６】
前記表示制御部Ｃ２ｃは、データ受信部Ｃ２ａから出力された調整前圧力値データ及び調整後圧力値データが示す圧力値をディスプレイＤに表示するものである。
【００４７】
次に、本実施形態の圧力調整システム１００の動作を説明する。
【００４８】
ユーザが、接続部１５をワークＷに接続していない状態で、圧力調整装置１０の電源を入れると、圧力センサ１２が、接続部１５と連通する大気空間の圧力、言い換えれば、大気圧を検出する。そして、ゼロ点補正部Ｃ１ｃが、圧力センサ１２によって検出された大気圧に基づいて圧力センサ１２のゼロ点を補正する（ステップＳ１）。因みに、ユーザが、ワークＷに接続部１５を接続した状態で、圧力調整装置１０の電源を入れると、表示部１３にエラーが表示される。
【００４９】
次に、ユーザが、接続部１５をワークＷに接続すると、圧力センサ１２が、接続部１５と連通するワークＷ内の空間の圧力、言い換えれば、内圧を検出する。また、その後、ユーザが、接続部１５をワークＷに接続した状態で、切替機構１１を操作して流入出状態から停止状態へ切替える毎に、圧力センサ１２が、内圧を検出する（ステップＳ３）。なお、圧力値一時記憶部Ｃ１ａは、圧力センサ１２で検出された圧力値（内圧）を随時記憶する（ステップＳ２）。そして、表示制御部Ｃ１ｂは、圧力値一時記憶部Ｃ１ａに新たな圧力値が記憶される毎に、当該圧力値一時記憶部Ｃ１ａから最新の圧力値を取得し、当該取得した圧力値を表示部１３に表示する。
【００５０】
また、経過時間計測部Ｃ１ｄは、ユーザが切替機構１１によって流入出状態から停止状態へ切替える毎に、当該切替後であって圧力センサ１２によって圧力値が検出された時点からの経過時間を計測する（ステップＳ２）。
【００５１】
そして、記録判定部Ｃ１ｅは、圧力値一時記憶部Ｃ１ａに新たな圧力値が記憶される毎に、当該圧力値一時記憶部Ｃ１ａから最新の圧力値を取得すると共に、経過時間計測部Ｃ１ｄから経過時間を取得し、閾値記憶部Ｃ１ｆに記憶された閾値、及び、設定時間記憶部Ｃ１ｇに記憶された設定時間を参照し、第１判定（ステップＳ３）、第２判定（ステップＳ４）、第３判定（ステップＳ６、Ｓ８）を順次行って取得した圧力値を記録するか否かを判定する。
【００５２】
具体的には、記録判定部Ｃ１ｅは、第１判定において、取得した圧力値が閾値を超えていると判定した場合には、続いて第２判定を行う。一方、第１判定において、取得した圧力値が閾値を超えていないと判定した場合には、圧力値一時記憶部Ｃ１ａから新たに記憶された圧力値を取得する。
【００５３】
次に、記録判定部Ｃ１ｅは、第２判定において、取得した圧力値が最初に閾値を超えた圧力値であると判定した場合には、当該取得した圧力値を調整前の圧力値としてデータ送信部Ｃ１ｈに送信し、圧力値管理装置２０の圧力値記憶部Ｃ２ｂに記憶する（ステップＳ５）。その後、圧力値一時記憶部Ｃ１ａから新たに記憶された圧力値を取得する。一方、第２判定において、取得した圧力値が最初に閾値を超えた圧力値でないと判定した場合には、続いて第３判定を行う。
【００５４】
次に、記録判定部Ｃ１ｅは、第３判定において、新たな検出信号を受信するまでの経過時間が設定時間を越えたか否かを判定する（ステップＳ６、Ｓ８）。具体的には、記録判定部Ｃ１ｅは、第３判定において、経過時間が設定時間が越えているか否かを判定し、経過時間が設定時間を越えていると判定した場合には、当該取得した圧力値を調整完了後の圧力値としてデータ送信部Ｃ１ｈに送信し、圧力値管理装置２０の圧力値記憶部Ｃ２ｂに記憶する（ステップＳ７）。その後、調整作業を終了する。
【００５５】
一方、記録判定部Ｃ１ｅは、第３判定において、経過時間が設定時間を越えていないと判定した場合には、続いて新たな検出信号を受信した否かを判定する。そして、当該判定において、検出信号を受信したと判定した場合には、圧力値一時記憶部Ｃ１ａから新たに記憶された圧力値を取得する。なお、当該判定において、検出信号を受信していないと判定した場合には、再度経過時間が設定時間を越えたか否かを判定する。すなわち、記憶判定部Ｃ１ｅは、経過時間が設定時間を越えるか、或いは、検出信号を受信するまで第３判定を繰り返し行う。
【００５６】
なお、記録判定部Ｃ１ｅにおいて、圧力値一時記憶部Ｃ１ａに新たに記憶された圧力値を取得した場合には、当該新たに取得した圧力値について第１判定〜第３判定を実行する。
【００５７】
このような構成になっているため、ユーザが作業ミスを行う等のイレギュラーな状態が発生しない限り、調整作業を完了すると、圧力値管理装置２０の圧力値記憶部Ｃ１ｂには、作業記録に必要な、調整前の圧力値を示す調整前圧力値データ、及び、調整完了後の圧力値を示す調整後圧力値データのみが記憶された状態となる。
【００５８】
＜実施形態２＞  本実施形態は、前記実施形態１に係る圧力調整システム１００の変形例である。具体的には、本実施形態に係る圧力調整システム１００は、前記実施形態１に係る圧力調整システム１００と比較すると、圧力調整装置１０の制御部Ｃ１が、圧力値一時記憶部Ｃ１ａ、表示制御部Ｃ１ｂ、ゼロ点補正部Ｃ１ｃ、記録判定部Ｃ１ｅ、閾値記憶部Ｃ１ｆ、データ送信部Ｃ１ｈとしての機能を発揮するように構成されている。なお、以下においては、前記実施形態１に係る制御部Ｃ１と異なる機能を発揮する記録判定部Ｃ１ｈについて詳述する。
【００５９】
前記記録判定部Ｃ１ｅは、圧力値一時記憶部Ｃ１ａに記憶された最新の圧力値を取得し、閾値記憶部Ｃ１ｆに記憶された閾値を参照し、当該取得した圧力値を記録するか否か判定するものである。具体的には、記録判定部Ｃ１ｅは、取得した圧力値が閾値を超えているか否かを判定する第１判定と、第１判定で閾値を越えていると判定した場合に、当該取得した圧力値が最初に閾値を超えたものであるか否かを判定する第２判定と、第１判定で閾値を越えていないと判定した場合に、前回取得した圧力値が閾値を越えていたか否かを判定する第３判定と、を行うようになっている。
【００６０】
そして、前記記録判定部Ｃ１ｅは、第２判定において、取得した圧力値が最初に閾値を超えたものであると判定した場合には、当該取得した圧力値を調整前の圧力値を示す調整前圧力値データとしてデータ送信部Ｃ１ｈへ出力するようになっている。また、記録判定部Ｃ１ｅは、第３判定において、前回取得した圧力値が閾値を越えていたと判定した場合には、当該前回取得した圧力値を調整完了後の圧力値を示す調整後圧力値データとしてデータ送信部Ｃ１ｆへ出力するようになっている。
【００６１】
次に、本実施形態の圧力調整システム１００の動作を説明する。
【００６２】
なお、ステップＳ１〜Ｓ２については、ステップＳ２で経過時間を計測しない以外は、前記実施形態１に係る圧力調整システム１００の動作と同一であるため説明を省略する。
【００６３】
記録判定部Ｃ１ｄは、圧力値一時記憶部Ｃ１ａに新たな圧力値が記憶される毎に、当該圧力値一時記憶部Ｃ１ａから最新の圧力値を取得し、閾値記憶部Ｃ１ｆに記憶された閾値を参照し、第１判定（ステップＳ３）、第２判定（ステップＳ４）、第３判定（ステップＳ６）を順次行って取得した圧力値を記録するか否かを判定する。
【００６４】
具体的には、記録判定部Ｃ１ｅは、第１判定において、取得した圧力値が閾値を超えていると判定した場合には、続いて第２判定を行う。一方、第１判定において、取得した圧力値が閾値を超えていないと判定した場合には、続いて第３判定を行う。
【００６５】
次に、記録判定部Ｃ１ｅは、第２判定において、取得した圧力値が最初に閾値を超えた圧力値であると判定した場合には、当該取得した圧力値を調整前の圧力値としてデータ送信部Ｃ１ｈに送信し、圧力値管理装置２０の圧力値記憶部Ｃ２ｂに記憶する（ステップＳ５）。その後、圧力値一時記憶部Ｃ１ａから新たに記憶された圧力値を取得する。
【００６６】
一方、第２判定において、取得した圧力値が最初に閾値を超えた圧力値でないと判定した場合には、圧力値一時記憶部Ｃ１ａから新たに記憶された圧力値を取得する。
【００６７】
次に、記録判定部Ｃ１ｅは、第３判定において、前回取得した圧力値が閾値を越えていたと判定した場合には、当該前回取得した圧力値を調整完了後の圧力値としてデータ送信部Ｃ１ｈに送信し、圧力値管理装置２０の圧力値記憶部Ｃ２ｂに記憶する（ステップＳ７）。その後、調整作業を終了する。
【００６８】
一方、記録判定部Ｃ１ｅは、第３判定において、前回取得した圧力値が閾値を越えていないと判定した場合には、圧力値管理装置２０の圧力値記憶部Ｃ２ｂに記憶する。
【００６９】
なお、記録判定部Ｃ１ｅにおいて、圧力値一時記憶部Ｃ１ａに新たに記憶された圧力値を取得した場合には、当該新たに取得した圧力値について第１判定〜第３判定を実行する。
【００７０】
このような構成になっているため、調整作業が完了すると、圧力値管理装置２０の圧力値記憶部Ｃ１ｂには、作業記録に必要な、調整前の圧力値を示す調整前圧力値データ、及び、調整完了後の圧力値を示す調整後圧力値データのみが記憶された状態となる。
【００７１】
＜その他の実施形態＞  前記実施形態１の切替機構１１は、停止状態を経由して、ワークＷ内へ流体を流入させる流入状態、又は、ワークＷから流体を流出させる流出状態のいずれかに切替えることができるものであってもよい。また、圧力調整装置１０が、ワークＷ内へ流体を流入させる流入状態と停止状態とを切替える切替機構１１と、ワークＷ内から流体を流出させる流出状態と停止状態とを切替える切替機構１１と、それぞれ別に備えるように構成してもよい。
【００７２】
また、前記実施形態１においては、圧力調整装置１０を、圧力調整装置１０と別体の圧力値管理装置２０に接続し、圧力値管理装置２０に圧力値記憶部Ｃ２ｂを設け、この圧力値記憶部Ｃ２ｂに各圧力値データを記憶するように構成しているが、圧力調整装置１０自体に圧力値記憶部Ｃ２ｂを設け、この圧力値記憶部Ｃ２ｂに各圧力値データを記憶するように構成してもよい。
【００７３】
また、前記実施形態１においては、圧力調整装置１０に経過時間計測部Ｃ１ｃ、経過時間判定部Ｃ１ｄ、設定時間記憶部Ｃ１ｅを設けているが、これらを圧力値管理装置２０や、圧力調整装置１０や圧力値管理装置２０に接続されるさらに別の情報処理装置に設けてもよい。
【００７４】
また、前記実施形態１においては、表示手段（ディスプレイＤ、表示部１３）を圧力調整装置１０及び圧力値管理装置２０の双方に設けているが、いずれか一方に設けてもよい。
【００７５】
その他、本発明は前記各実施形態に限られず、その趣旨を逸脱しない範囲で種々の変形が可能であるのは言うまでもない。
【符号の説明】
【００７６】
１００  圧力調整システム
１０  圧力調整装置
１１  切替機構
１２  圧力センサ
１３  表示部
１４  通信手段
１５  接続部
Ｃ１  制御部
Ｃ１ａ  圧力値一時記憶部
Ｃ１ｂ  表示制御部
Ｃ１ｃ  ゼロ点補正部
Ｃ１ｄ  経過時間計測部
Ｃ１ｅ  記録判定部
Ｃ１ｆ  設定時間記憶部
Ｃ１ｇ  閾値記憶部
Ｃ１ｈ  データ送信部
２０  圧力値管理装置
Ｄ  ディスプレイ
Ｃ２  制御部
Ｃ２ａ  データ受信部
Ｃ２ｂ  圧力値記憶部
Ｃ２ｃ  表示制御部
【図１】
2020175836.tif 000003
【図２】
2020175836.tif 000004
【図３】
2020175836.tif 000005
【図４】
2020175836.tif 000006
【図５】
2020175836.tif 000007